(57)【要約】【課題】  ストッパーの掛け忘れや誤操作によりストッパーが働かないことがなく、障子を開ける際の指挟みを確実に防止できるサッシの提供。【解決手段】  障子２の下框６室内側面の戸尻側（障子が開方向に移動するときの障子の後端側）の竪框８寄りの位置に指挟み防止具９を設ける。指挟み防止具は、下框に取付けるケース１０と、ケースに上下方向の軸１１で軸支した回動するアーム１２と、アームの戸尻側端部に取付けられケースから出没自在なストッパー部材１３と、アームの戸先側端部に取付けられケースから出没自在なスイッチ部材１４とを備え、障子２が移動したときにスイッチ部材１４が方立３に押されてケースに没入し、それと同時にストッパー部材１３が突出するようにした。【選択図】      図１
2008267078.tif 000002
【特許請求の範囲】
【請求項１】
左右方向の少なくとも一方側に障子の引込部を有する枠と、枠内を左右方向に移動可能な障子と、障子を閉めた状態で障子の一方側端部の室内側面に対向する竪部材と、指挟み防止具とを備え、指挟み防止具は、障子室内側面の他方側位置に設けてあり、障子に取付けるケースと、ケースに上下方向の軸で中間部を軸着した回動自在なアームと、ストッパー部材と、スイッチ部材とを備え、ケースは、アームと係合してアームの回動を規制する係合部を有し、ストッパー部材は、アームの他方側端部に取付けてあり、ケースから室内側に出没自在であると共に常時突出方向に付勢してあり、障子が一方側に移動したときに竪部材に当接して障子の移動を規制するものであり、スイッチ部材は、アームの一方側端部に取付けてあると共にケースから室内側に出没自在であり、ストッパー部材が没入したときにアームがケースの係合部に係合してアームの回動が規制されると共にスイッチ部材が突出し、スイッチ部材が突出した状態で障子が一方側及び他方側に移動したときにスイッチ部材が竪部材に押されてケースに没入すると共にアームと係合部との係合が解除されてストッパー部材が突出することを特徴とするサッシ。
【発明の詳細な説明】
【技術分野】
【０００１】
本発明は、障子を開ける際に障子と方立等との間で指を挟むのを防止できるサッシに関する。
【背景技術】
【０００２】
障子を壁や固定障子の室外側に引込んで間口を全開できるようにしたサッシでは、障子を開けたときに障子の戸尻側（障子が開方向に移動するときの障子の後端側）の竪框が方立等と引き違うため、戸尻側の竪框を掴んで障子を開操作すると、該竪框と方立等との間に指を挟むおそれがある。その対策として、障子に指挟み防止具を取付けている。指挟み防止具は、出没可能なストッパーと、ストッパーを出没操作する操作部を備えたものが一般的であり、その使用方法としては、障子を閉めた状態ではストッパーが突出した作用状態にしておき、障子を開けるときにはストッパーが方立等に当接して障子が全開する手前で障子の移動が規制され、その後操作部を操作してストッパーを引っ込めて非作用状態にして障子を全開にする。障子を閉めたら、操作部を操作してストッパーを作用状態に戻しておく。このような指挟み防止具では、障子を閉めたときにストッパーを作用状態に戻す操作を忘れるおそれがある。また、一度はストッパーを作用状態に戻しても、障子が閉鎖している間に使用者が操作部を誤操作してストッパーが非作用状態になることもある。
【０００３】
特許文献１には、通常の引違いサッシにおいて、障子を閉鎖する際に障子の戸先側の竪框と竪枠との間で指を挟むのを防止するための指挟み防止具が開示されている。この指挟み防止具は、上枠に取付けたケース２０と、ケースにそれぞれ軸支してケースから出没可能に設けたトリガー３０及びストッパー６０と、ケース内に内蔵されトリガーの動作に応じてストッパーを動作させるためのスライダ４０とスライド規制ピース５０とを有し、障子が開いた状態ではトリガー３０がケースから突出するとともにストッパー６０がケース内に没入した状態となっており、障子を閉操作するとトリガー３０が戸先框１３４に押されてケース内に没入し、それに伴ってストッパー６０がケースから突出して障子の移動が規制される。その後、障子を少し開き側に戻してから再び閉鎖するとトリガー３０が出没動作し、それに伴ってストッパー６０がケース内に没入して障子を全閉できる。障子を開けるとトリガー３０のみが突出する状態になる。この指挟み防止具では、ストッパー６０の作用・非作用状態を切り替える操作は不要となっている。
【０００４】
特許文献１記載の指挟み防止具は、先に述べたように障子を壁の室外側に引き込むようにして開ける際の指挟みを防止するものにそのまま適用できるものではない。またこの指挟み防止具では、トリガー３０が押されるごとに、ストッパー６０が突出する状態と没入する状態に交互に切り替わるため、障子が開いている間に子供がトリガー３０をいじったりすると、障子が閉まるときにストッパーが働かない。さらにこの指挟み防止具は、トリガー３０の動きをスライダ４０とスライド規制ピース５０を介してストッパー６０に伝えるものであり、スライダ４０とスライド規制ピース５０にカム機構を用いた非常に複雑な構造となっており、長い間使用するうちにカム部が損耗したり、カム部にゴミが付いたりすることで、正常に動作しなくなるおそれがある。  
【特許文献１】特開２００６−２２６１６号公報
【発明の開示】
【発明が解決しようとする課題】
【０００５】
本発明は以上に述べた実情に鑑み、ストッパーの掛け忘れや誤操作によりストッパーが働かないことがなく、障子を開ける際の指挟みを確実に防止できるサッシの提供を目的とする。
【課題を解決するための手段】
【０００６】
上記の課題を達成するために請求項１記載の発明によるサッシは、左右方向の少なくとも一方側に障子の引込部を有する枠と、枠内を左右方向に移動可能な障子と、障子を閉めた状態で障子の一方側端部の室内側面に対向する竪部材と、指挟み防止具とを備え、指挟み防止具は、障子室内側面の他方側位置に設けてあり、障子に取付けるケースと、ケースに上下方向の軸で中間部を軸着した回動自在なアームと、ストッパー部材と、スイッチ部材とを備え、ケースは、アームと係合してアームの回動を規制する係合部を有し、ストッパー部材は、アームの他方側端部に取付けてあり、ケースから室内側に出没自在であると共に常時突出方向に付勢してあり、障子が一方側に移動したときに竪部材に当接して障子の移動を規制するものであり、スイッチ部材は、アームの一方側端部に取付けてあると共にケースから室内側に出没自在であり、ストッパー部材が没入したときにアームがケースの係合部に係合してアームの回動が規制されると共にスイッチ部材が突出し、スイッチ部材が突出した状態で障子が一方側及び他方側に移動したときにスイッチ部材が竪部材に押されてケースに没入すると共にアームと係合部との係合が解除されてストッパー部材が突出することを特徴とする。
【発明の効果】
【０００７】
請求項１記載の発明によるサッシは、障子を開けるために障子の他方側を持って障子を一方側に移動させると、ケースから突出したストッパー部材が竪部材に当接して障子の移動が規制され、竪部材との間で指を挟むのを防止でき、ストッパー部材を指で押すなどしてケースに没入させると、アームがケースの係合部に係合して回動が規制されてストッパー部材が没入状態に保持されるから、障子を全開できる。このときスイッチ部材はケースから突出しており、この状態で障子を他方側に移動するとスイッチ部材が竪部材に押されてケースに没入し、スイッチ部材が没入するとアームと係合部との係合が解除されてストッパー部材が突出するから、障子を閉めたときに使用者がストッパーをいちいち掛ける手間が要らず、ストッパーを掛け忘れることがない。また、障子を閉めた状態で使用者がストッパー部材を誤操作したことにより、ストッパー部材が没入した状態で障子を開けたときでも、ストッパー部材が竪部材に到達する前に、スイッチ部材が竪部材に押されて没入することでストッパー部材が突出状態に復帰するので、指挟みを防止できる。本発明の指挟み防止具は、ケースに軸着した回動自在なアームの端部にストッパー部材とスイッチ部材をそれぞれ取付けた構造にしたので、構造が単純化されるとともに、一方がケースに没入することで他方がケースから突出するから、動作が確実である。
【発明を実施するための最良の形態】
【０００８】
以下、本発明の実施の形態を図面に基づいて説明する。図１は、本発明のサッシの一実施形態を示す横断面図であり、図２は同サッシの室内側正面図である。本サッシは、上枠１７と下枠１８と左右の竪枠１９ａ，１９ｂを枠組みした枠１内に、内障子２と外障子２０の２枚の障子が左右方向に移動可能に取付けてある。枠１は、右側の竪枠１９ａから上下枠１７，１８の全長の略１／３だけ離れた位置に、上下枠１７，１８に固定して方立３を設けてあり、方立３から右側の部分を躯体開口部２１の右側にはみださせて、躯体１６の室外側面にネジ２２で取付けてある。右側の竪枠１９ａと方立３との間は、壁４により塞がれている。枠４内の躯体開口部２１の右側にはみ出した部分、すなわち壁４の室外側の部分が、内外障子２，２０を開けるときに内外障子２，２０を引き込む障子引込部２３となっている。なお、本明細書中で「右側」、「左側」と記載したときには、室内側から見ての右側、左側を意味する。また、請求項１中の「一方側」と「他方側」は、本実施形態では「一方側」が「右側」に、「他方側」が「左側」にそれぞれ対応する。
【０００９】
内障子２と外障子２０は、上下枠の全長の略１／３の横幅を有し、これら２枚の障子２，２０で左側の竪枠１９ｂと方立３との間を閉鎖する。内障子２は、上框５と下框６と左右の竪框７，８とを方形に枠組みし、その枠の内側にガラス２６を嵌め込んだものとなっている。外障子２０も内障子２と同様に構成してある。両障子２，２０を閉鎖した状態では、図１に示すように、方立３と内障子２の右側の竪框７、内障子２の左側の竪框８と外障子２０の右側の竪框７とが室内外方向に召し合わせられ、方立３と内障子２の左側の竪框８に取付けたクレセント２７により各障子２，２０を施錠するようになっている。本サッシは、内障子２と外障子２０を枠１右側の障子引込部２３に引き込むことにより、方立３と左側の竪枠１９ｂとの間が全開するものであり、内障子２を開ける際に内障子の左側の竪框８と方立３との間で指を挟むのを防止するために、内障子２に指挟み防止具９を設けてある。指挟み防止具９は、外観が横長の直方体状となっており、図２に示すように、内障子２の下框６の室内側面に、左側の竪框８から２ｃｍ程度離して取付けてある。
【００１０】
図３は、指挟み防止具９の横断面図であって、図３（ａ）がストッパー作用状態、図３（ｂ）がストッパー非作用状態を示している。指挟み防止具９は、下框６の室内側面にネジ２８で取付けられるケース１０と、ケース１０内に上下方向の軸１１で中間部を軸支して設けた回動自在なアーム１２と、アーム１２の左側端部に上下方向の軸２９で取付けたストッパー部材１３と、アーム１２の右側の端部に上下方向の軸３０で取付けたスイッチ部材１４と、ラッチ部材３１とを備えている。
ストッパー部材１３は、四角いブロック状で、ケース１０の室内側面に設けた孔から出没自在となっており、コイルバネ３２により突出方向に付勢してある。ストッパー部材１３の室内側面と左側面とのコーナー部には、傾斜面１３ａを設けてある。
スイッチ部材１４は、ケース１０の室内側面に設けた孔から出没自在となっており、突出部分は左右両側に傾斜面１４ａ，１４ｂを設けて平面視三角形状に形成してある。スイッチ部材１４の右側面には、ラッチ部材３１と係合する凹凸部１４ｃを形成してある。アーム１２は、軸１１を支点にシーソーのように動き、ストッパー部材１３がケース１０から突出したときにはスイッチ部材１４はケース１０に没入し（ストッパー作用状態）、ストッパー部材１３がケース１０に没入したときにはスイッチ部材１４はケース１０から突出する（ストッパー非作用状態）。
ラッチ部材３１は、スイッチ部材１４の凹凸部１４ｃに係合する突起３１ａを有し、コイルバネ３３により左方向に付勢されており、該突起３１ａがスイッチ部材１４の凹凸部１４ｃと係合することで、スイッチ部材１４を突出位置と没入位置とにクリック式に位置決めする。
【００１１】
ケース１０内には、図３（ｂ）と図４に示すように、ストッパー部材１３が没入したストッパー非作用状態のときに、アーム１２と係合してアーム１２の回動を規制する係合部１５を設けてある。そのため、図３（ａ）の状態から、ストッパー部材１３が室内側から押し込まれてケース１０に没入すると、アーム１２が時計方向に回動して係合部１５に係合し、ストッパー部材１３が没入した状態に保持される。その後、スイッチ部材１４が室内側から押し込まれてケース１０に没入すると、アーム１２が反時計方向に回動して係合部１５から外れ、コイルバネ３２の付勢力によりストッパー部材１３がケース１０から突出する。
【００１２】
次に、内障子２の開閉時における指挟み防止具９の動作を、図５−１、図５−２、図６に即して説明する。まず、内障子２を閉めた状態では、図５−１（ａ）に示すように、指挟み防止具９はストッパー部材１３がケース１０から突出したストッパー作用状態となっている。内障子２を開けるときは、左側の竪框８を室内側から掴んで右方向に動かすものであり、その際、図５−１（ｂ）に示すように、ストッパー部材１３が方立３の左側面に当接するため、内障子２が全開する少し手前で内障子２の移動が規制され、これにより竪框８と方立３との間での指挟みを防止できる。
その後、図５−１（ｃ）に示すように、ストッパー部材１３を室内側から指で押し込んでケース１０に没入させると、アーム１２がケースの係合部１５に係合してアーム１２の回動が規制され、ストッパー部材１３が没入状態に保持されるから、図５−２（ｄ）に示すように、竪框８が方立３の室外側に重なるまで内障子２を右方向に移動して内障子を全開できる。このとき、スイッチ部材１４はケース１０から突出している。
その後、内障子２を閉めるために内障子２を左方向に動かすと、図５−２（ｅ）に示すように、スイッチ部材１４の左側の傾斜面１４ｂに方立３の角が当接するため、図５−２（ｆ）に示すように、スイッチ部材１４は方立３に押されてケース１０に没入し、それに伴ってアーム１２が係合部１５から外れ、ストッパー部材１３がコイルバネ３２の付勢力により突出する。このように、内障子２を閉めると指挟み防止具９は自動的にストッパー作用状態に復帰するから、ストッパーを掛け忘れることがない。
【００１３】
内障子２が閉じている間に使用者が誤ってストッパー部材１３をケース１０に押し込み、ストッパー非作用状態で内障子２が開けられたときには、図６（ａ）に示すように、スイッチ部材１４の右側の傾斜面１４ａに方立３の角が当接するため、スイッチ部材１４が方立３に押されてケース１０に没入し、それに伴ってストッパー部材１３がケース１０から突出してストッパー作用状態に復帰するから、同じように指挟みを防止できる。
【００１４】
内障子２が開いている間に、指挟み防止具９が振動等により万が一誤動作してストッパー作用状態になったとしても、図６（ｂ）に示すように、ストッパー部材１３の傾斜面１３ａに方立３の角が当接することで、ストッパー部材１３が方立３に押されてケース１０に没入するから、内障子２を枠から外すことなく、通常通り閉めることができる。
【００１５】
本実施形態では、枠１の右側を壁４で塞いであったが、枠１内の右側に固定障子を設け、その固定障子の室外側に内障子２と外障子２０を収納するようにすることもできる。外障子２０は、枠１に固定して固定障子としてもよい。内障子２は、右方向にのみ開けられるようになっているが、左右いずれの方向にも開けられるようにすることもできる。
【００１６】
図７は、本発明のサッシの他の実施形態を示している。
図７（ａ）は、いわゆる片引きサッシの実施形態であり、枠１に可動障子３４を左右方向に移動可能に取付け、枠１内の右側に固定障子３５を設けてあり、可動障子３４を固定障子３５の室外側に重ねるように右側に移動させて開けるようにしたものである。可動障子３４は、下框６室内側面の左側の竪框８寄りの位置に指挟み防止具９を設けてあり、可動障子３４を開ける際に、可動障子３４の左側の竪框８と固定障子３５の竪框３６との間で指を挟むのを指挟み防止具９で防止する。なお、固定障子３５を設ける代わりに、図１に示すように枠１の右半分を壁で塞ぐようにしてもよい。
図７（ｂ）は、いわゆる引き分けサッシの実施形態であり、枠１は右側と左側に障子引込部２３ａ，２３ｂを有し、障子引込部２３ａ，２３ｂが躯体開口部の両側にはみ出す形で躯体に固定してあり、中央部に２枚の可動障子３４ａ，３４ｂを横並びに設けてあり、各可動障子３４ａ，３４ｂを障子引込部２３ａ，２３ｂにそれぞれ移動させて間口を全開できるようにしている。各可動障子３４ａ，３４ｂは、下框６室内側面のサッシ中央側の竪框７，８寄りの位置に指挟み防止具９を設けてあり、可動障子３４ａ，３４ｂを開ける際に、指挟み防止具９が可動障子３４ａ，３４ｂの竪框７，８と方立３との間での指挟みを防止する。なお、枠１の右側と左側に固定障子や可動障子を設けて障子引込部２３ａ，２３ｂを形成することもできる。
【００１７】
本発明は以上に述べた実施形態に限定されない。指挟み防止具は、上框の室内側面に取付けることもできる。ストッパー部材やスイッチ部材等の各部品の形状、ケースの係合部の形状等は、適宜変更することができる。障子は、框を有しない板状のものであってもよい。図８に示すように、枠１に方立３が無く、柱や壁等の建物の躯体１６が竪部材になっているものでもよい。
【図面の簡単な説明】
【００１８】
【図１】本発明のサッシの一実施形態を示す横断面図である。
【図２】同サッシの室内側正面図である。
【図３】指挟み防止具の横断面図であって、（ａ）はストッパー作用状態、（ｂ）はストッパー非作用状態を示している。
【図４】図３（ｂ）のＡ−Ａ断面図である。
【図５−１】内障子を開ける際の指挟み防止具の動作を示す横断面図であって、（ａ）は内障子を閉鎖した状態、（ｂ）は内障子が全開する手前でストッパー部材により障子の移動が規制された状態、（ｃ）はストッパー部材を没入させて内障子を全開するときの状態を示している。
【図５−２】内障子を閉める際の指挟み防止具の動作を示す横断面図であって、（ｄ）は内障子を全開した状態、（ｅ）は内障子を閉める途中でスイッチ部材が方立に当接して押し込まれる状態、（ｆ）はその後に内障子を閉め切るときの状態を示している。
【図６】（ａ）は指挟み防止具が誤操作されてストッパー非作用状態で内障子を開けたときの横断面図であり、（ｂ）は指挟み防止具が誤動作しストッパー作用状態で内障子を閉じたときの横断面図である。
【図７】本発明のサッシの他の実施形態を示す室内側正面図である。
【図８】本発明のサッシの他の実施形態を示す横断面図である。
【符号の説明】
【００１９】
１  枠
２  内障子（障子）
３  方立（竪部材）
４  壁
５  上框
６  下框
７  右側の竪框（一方側竪框）
８  左側の竪框（他方側竪框）
９  指挟み防止具
１０  ケース
１１  軸
１２  アーム
１３  ストッパー部材
１４  スイッチ部材
１５  係合部
２３，２３ａ，２３ｂ  障子引込部
３４，３４ａ，３４ｂ  可動障子（障子）
３５  固定障子
３６  固定障子の竪框（竪部材）
【図１】
2008267078.tif 000003
【図２】
2008267078.tif 000004
【図３】
2008267078.tif 000005
【図４】
2008267078.tif 000006
【図５−１】
2008267078.tif 000007
【図５−２】
2008267078.tif 000008
【図６】
2008267078.tif 000009
【図７】
2008267078.tif 000010
【図８】
2008267078.tif 000011